(57)【要約】【課題】  初筆時に塗布液がチップの先端からスムーズにに吐出する塗布具を提供する。【解決手段】  押出し管２２を有し、球状塗布体３１を回転自由に抱持したチップ３０を嵌着した先口２０を軸筒１０の先端開口に取り付け、詰め栓４２で封止され、内部尾端部に衝撃緩衝部材が配置されたた塗布液タンク４０を、この先端開口が押出し管に仮止めされた状態で軸筒内に収容し、初筆時において塗布液タンクの尾端部を押し込むと押出し管によって塗布液タンクの詰め栓が後退して先端開口の封止が解除され、塗布液がチップに供給されて塗布可能となり、塗布具を上下に振ると撹拌子４３が衝撃緩衝部材に衝突して衝撃を緩和する。【選択図】  図１
2005178156.tif 000002
【特許請求の範囲】
【請求項１】
先端の中心孔に球状塗布体を回転自由に抱持したチップが嵌着され、該中心孔に連通する押出し管を有する先口が軸筒の先端開口に取り付けられ、
先端開口が詰め栓で封止されて内部に塗布液が充填されるとともに撹拌子が収容され、内部尾端部に衝撃緩衝部材が配置された塗布液タンクが、該先端開口が該押出し管に仮止めされた状態で軸筒内に収容されてなり、
初筆時において軸筒の尾端開口から突出する塗布液タンクの尾端部を押し込むと、塗布液タンク先端の嵌着部が押出し管に嵌着され、押出し管によって該塗布液タンクの詰め栓が後退して先端開口の封止が解除され、塗布液がチップに供給されて塗布可能となり、
塗布具を上下に振って塗布液を撹拌したときに、撹拌子が該衝撃緩衝部材に衝突して塗布液タンクを尾端側に後退させる衝撃が緩和されることを特徴とする塗布具。
【請求項２】
前記衝撃緩衝部材がばね材からなることを特徴とする請求項１記載の塗布具。
【請求項３】
前記衝撃緩衝部材は、合成樹脂製の塗布液タンクと一体に弾性変形可能に成形されたものであることを特徴とする請求項１記載の塗布具。
【発明の詳細な説明】
【技術分野】
【０００１】
本発明は、修正液や化粧液など、顔料が溶媒内に分散した粘度の高い塗布液が充填された塗布具に関するものである。
【背景技術】
【０００２】
塗布体が球状の塗布具は、筆記具の軸筒に相当する塗布液タンク内に顔料が溶媒内に分散した粘度の高い塗布液が充填されており、この塗布液タンクの先端に直接あるいは先口を介してチップが取り付けられいる。そして、ボールペンと同様に、チップの先端からその一部が先端から臨出した状態で球状塗布体が回転自由に抱持されている。この球状塗布体をスプリングで弾発し、不使用時に、球状塗布体をチップの内向きの先端縁に密着させ、球状塗布体とチップの先端縁で弁構造を構成して塗布液が吐出しないようにしている。
【０００３】
使用時において、球状塗布体を塗布面に押し付けると球状塗布体がスプリングの弾発力に抗して後退し、球状塗布体とチップの先端縁との間に隙間ができるので、球状塗布体のチップ内の部分に付着した塗布液が球状塗布体の回転に伴ってこの隙間を通ってチップの外側に出て塗布される。
【０００４】
塗布液タンクに充填された造膜性の塗布液は、顔料が溶媒内に分散したものであるので、長時間放置しておくと、顔料が溶媒と分離して沈降する。このため、塗布液タンク内に球状や棒状の撹拌部材を配置し、使用に先だって、塗布具を振って上下動する撹拌部材で塗布液を撹拌し、分離した顔料を溶媒に分散させる必要がある。
【特許文献１】特開２００３−３００３９９
【発明の開示】
【発明が解決しようとする課題】
【０００５】
直径がφ１ｍｍ程度の球状塗布体を回転自由に抱持したチップは外径がφ３ｍｍ程度であり、このチップか軸筒や先口先端の中心孔の中腹部まで嵌着されている。従って、先口の中心孔の内径もφ３ｍｍ程度である。一方、塗布液タンクの内径はφ８ｍｍ程度であり、塗布液タンク内に配置された撹拌子の外径はφ６ｍｍ程度である。このため、塗布具を上下に振っても、撹拌子は先口の中心孔内に侵入しないので、先口の中心孔のチップが嵌着されていない部分に沈降した顔料を撹拌することができない。
【０００６】
ところで、塗布具が製造されてからユーザーの手に渡るまでに長期間経過することがあり、この場合はチップ内において塗布液の顔料が沈降する可能性が高い。このように、チップ内において塗布液の顔料が沈降すると、顔料が沈降した塗布液を撹拌できないために、ユーザーが最初に使用するとき（初筆時）に塗布液がチップ先端からスムーズに吐出しない不具合がある。
【０００７】
そこで本発明は、初筆時に塗布液がチップの先端からスムーズに吐出する塗布具を提供することを目的とする。
【課題を解決するための手段】
【０００８】
かかる目的を達成するために、本発明は、先端の中心孔に球状塗布体を回転自由に抱持したチップを嵌着し、この中心孔に連通する押出し管を有する先口を軸筒の先端開口に取り付け、先端開口が詰め栓で封止された内部に塗布液を充填するとともに撹拌子を収容し、内部尾端部にばね材のような衝撃緩衝部材を配置しれた塗布液タンクを、先端開口が押出し管に仮止めされた状態で軸筒内に収容し、初筆時において軸筒の尾端開口から突出する塗布液タンクの尾端部を押し込むと、塗布液タンク先端の嵌着部が押出し管に嵌着され、押出し管によって塗布液タンクの詰め栓が後退して先端開口の封止が解除され、塗布液がチップに供給されて塗布可能となり、塗布具を上下に振って塗布液を撹拌したときに、撹拌子が衝撃緩衝部材に衝突して塗布液タンクを尾端側に後退させる衝撃が緩和されるようにする。また、衝撃緩衝部材は、合成樹脂製の塗布液タンクと一体に弾性変形可能に成形されたものであってもよい。
【発明の効果】
【０００９】
初筆時において軸筒の尾端開口から突出する塗布液タンクの尾端部を押し込むと、塗布液タンク先端の嵌着部が押出し管に嵌着されて押出し管によって塗布液タンクの詰め栓が後退して先端開口の封止が解除され、塗布液タンク内の塗布液が初めてチップに供給されるので、初筆時に塗布液がチップの先端からスムーズに吐出する。そして、塗布具を上下に振って塗布液を撹拌すると、撹拌子が塗布液タンクの底面に衝突し、その衝撃で塗布液タンクが後退して押出し管との嵌着が緩み、塗布液が漏れ出す危険性があるが、塗布液タンクの内部尾端部に衝撃緩衝部材を配置したので、撹拌子が衝撃緩衝部材に衝突して塗布液タンクを尾端側に後退させる衝撃が緩和され、したがって、塗布液タンクは後退することはなく、嵌着が緩む危険性は解消される。
【発明を実施するための最良の形態】
【００１０】
初筆時に塗布液がチップの先端からスムーズに吐出する目的を、初筆時において軸筒の尾端開口から突出する塗布液タンクの尾端部を押し込むと、押出し管によって塗布液タンクの詰め栓が後退して先端開口の封止が解除され、塗布液タンク内の塗布液が初めてチップに供給されるようにする簡単な構造で実現した。また、塗布液タンクの内部尾端部に衝撃緩衝部材を配置することにより、撹拌子が衝撃緩衝部材に衝突して塗布液タンクを尾端側に後退させる衝撃を緩和し、塗布液タンクとは先口の嵌着が緩む危険性を解消した。
【実施例１】
【００１１】
以下に、図面に基づいて本発明の実施の形態を具体的に説明する。図１は塗布具が出荷される前の状態を示す断面図であるが、図１において、軸筒１０は、合成樹脂、例えばナイロンやＰＢＴなどで成形されたものであり、肉厚は０．５〜１．０ｍｍの範囲の薄肉なものであり、例えば０．６ｍｍである。軸筒１０の先端開口には先口２０が取り付けられている。なお、軸筒１０と先口２０を一体に成形したものであってもよい。先口２０の中心孔２１にチップ３０が嵌着されている。また、先口２０内部には尾端側に突出する筒状の押出し管２２が形成されており、押出し管２２の内面は中心孔２１に連通している。また、不使用時には、先口２０にキャップ７０が嵌着される。
【００１２】
チップ３０は、ステンレスにて砲弾型に形成されており、チップ３０先端のボールハウスに、直径が例えばφ１．０ｍｍの超硬ボールからなる球状塗布体３１がその一部がチップ３０の先端から臨出した状態で回転自由に抱持されたボールペンタイプである。なお、チップ３０は金属パイプからなるものであってもよい。そして、チップ３０内には、質量の小さなスプリング３２が配置されており、このスプリング３２が球状塗布体３１を弾発してチップ３０の内向きの先端縁に圧接している。つまり、球状塗布体３１とチップ３０の先端縁とで弁機構を構成し、不使用時に塗布液がチップ３０の先端から吐出しないようになっている。
【００１３】
塗布液タンク４０は、軸筒１０と同じく、合成樹脂、例えばナイロンやＰＢＴなどで有底筒状に成形されたものであり、肉厚は０．５〜１．０ｍｍの範囲の薄肉なものであり、例えば０．６ｍｍである。塗布液タンク４０の先端部には先端開口部材４１が嵌着されており、金属球からなり、撹拌子を兼ねる詰め栓４２が先端開口部材４１先端部分の封止部４１ａに圧入されている。つまり、塗布液タンク４０の先端開口は詰め栓４２によって封止されている。この封止部４１ａの先端部分が内径が封止部４１ａよりも小径の嵌着部４１ｂである。そして、塗布液タンク４０内には、例えば粘度が３０〜４０ｃｐｓであって、溶媒に顔料が分散した造膜性の高い修正液である塗布液（図示せず）が充填されている。塗布液内には金属棒からなる２個の撹拌子４３が配置されている。また、塗布液タンク４０内部の尾端部には、例えばコイルスプリングであるばね材５０からなる衝撃緩衝部材が配置されている。ばね材５０はコイルスプリングに限られるものではなく、板ばねなどであってもよい。また、図３に示すように、ばね部材５０の先端を皿部材５１で覆うのがよい。これにより撹拌時に撹拌子４３が確実にばね部材５０に衝突する。
【００１４】
かかる塗布液タンク４０が軸筒１０内に配置されており、塗布液タンク４０の尾端部４０ａが軸筒１０の尾端開口１１から突出しているが、嵌着部４１ｂが押出し管２２の尾端部に嵌着されて仮止めされている。したがって、出荷時においては、押出し管２２の尾端部は塗布液タンク４０の封止部４１ａ内には入り込んでおらず、詰め栓４２は封止部４１ａに圧入された状態であり、塗布液タンク４０は開封されていない。つまり、チップ３０内には、塗布液は存在しない。
【００１５】
しかして、最初の使用に際してユーザーは、図２に示すように、軸筒１０の尾端開口１１から突出した塗布液タンク４０の尾端部４０ａを押し込むと、塗布液タンク４０が前進し、押出し管２２が封止部４１ａに大きく入り込むとともに、押出し管２２は嵌着管４１ｂに嵌着する。これにより、押出し管２２の尾端面が詰め栓４２を塗布液タンク４０内に押しやり、塗布液タンク４０の先端開口は開封される。したがって、初筆時において塗布液がチップ３０先端からスムーズに吐出する。そして、塗布液タンク４０内に押しやられた詰め栓４２は撹拌子として働く。
【００１６】
この状態で塗布具を上下に振って塗布液を撹拌するとき、仮に塗布液タンク４０内部の尾端部にばね材５０が配置されていないと、撹拌子４３が塗布液タンク４０の底面に衝突し、その衝撃で塗布液タンク４０が後退し、押出し管２２と嵌着管４１ｂの嵌着が緩んで塗布液が漏れ出す危険性がある。しかし、塗布液タンク４０内部の尾端部に衝撃緩衝部材であるばね材５０が配置されているので、撹拌子４３はばね部材５０に衝突し、塗布液タンク４０を後退させる衝撃が緩和される。したがって、通常の衝撃力では押出し管２２と嵌着管４１ｂの嵌着が緩むことがない。
【実施例２】
【００１７】
衝撃緩衝部材は、図４に示すように、塗布液タンク４０と一体に成形された合成樹脂製の弾性変形体６０であってもよい。この弾性変形体６０は、先端が傾斜面６１である一対の縦リブであり、撹拌子４３が傾斜面６１に衝突すると弾性変形体６０は外側に弾性変形して衝撃を緩和するので、衝撃により押出し管２２と嵌着管４１ｂの嵌着が緩むことを防止できる。
【図面の簡単な説明】
【００１８】
【図１】出荷時の状態を示す断面図である。
【図２】塗布液タンクを押し込んだ状態の断面図である。
【図３】他の実施例の要部の断面図である。
【図４】他の実施例の要部の断面図である。
【符号の説明】
【００１９】
１０    軸筒
１１    尾端開口
２０    先口
２１    先口の中心孔
２２    押出し管
３０    チップ
３１    球状塗布体
３２    スプリング
４０    塗布液タンク
４０ａ  塗布液タンクの尾端部
４１    先端開口部材
４１ａ  封止部
４１ｂ  嵌着部
４２    詰め栓
４３    撹拌子
５０    ばね材
５１    皿部材
６０    弾性変形体
７０    キャップ
【図１】
2005178156.tif 000003
【図２】
2005178156.tif 000004
【図３】
2005178156.tif 000005
【図４】
2005178156.tif 000006